(57)【特許請求の範囲】
【請求項１】
１つのテレビ番組放送信号を異なる伝送レートの信号にエンコードし識別情報を付与したエンコード信号を生成する少なくとも２つ以上のエンコード手段と、
異なる伝送レートのそれぞれの前記エンコード信号を識別する識別情報にそれぞれの前記識別情報で識別される前記エンコード信号を受信側で正しくデコードするのに必要な受信状態を示す所要受信状態情報を付与し、さらにテレビ番組の識別をするための番組識別情報を付与した識別制御情報信号を生成する識別制御情報生成手段と、
異なる伝送レートの前記エンコード信号と前記識別制御情報信号を多重する多重化手段と、
前記多重化手段で多重した多重信号を伝送路へ送信する送信手段と、
を有するテレビ放送用送信装置と、
前記伝送路で伝送された信号を受信する受信手段と、
前記受信手段で受信した受信信号から受信状態を検出する受信状態検出手段と、
前記受信信号から前記識別制御情報信号および前記エンコード信号を分離抽出する分離抽出手段と、
視聴者が選択した番組を識別する番組識別情報信号を発生する番組識別情報信号発生手段と、
前記受信状態検出手段で検出した受信状態検出信号と前記分離抽出手段で分離抽出した前記識別制御情報信号と前記番組識別情報信号発生手段で発生した番組識別情報信号の番組識別情報より受信信号に多重されている異なる伝送レートでエンコードされた信号の中から正しくデコードできる前記エンコード信号を決定する分離抽出信号決定手段と、
前記分離抽出信号決定手段で決定したエンコード信号の前記識別情報により前記分離抽出手段で分離抽出した分離抽出エンコード信号を前記テレビ番組放送信号の映像信号と音声信号にデコードするデコード手段と、
前記デコード手段でデコードした前記映像信号と前記音声信号を表示および出力する映像表示音声出力手段と、
を有するテレビ放送用受信装置と、
を備えたテレビ放送用送受信システム。
【請求項２】
前記伝送路は衛星波または地上波を用いることを特徴とする請求項１記載のテレビ放送用送受信システム。
【請求項３】
受信側で正しくデコードするのに必要な受信状態を示す前記所要受信状態情報および受信側での受信状態の検出はＣ／Ｎ値を用いることを特徴とする請求項１または請求項２記載のテレビ放送用送受信システム。
【請求項４】
前記識別制御情報生成手段は受信状態の変化に対して伝送レートの異なるエンコード信号間の切替えにおいて、
受信状態が悪くなった時に高伝送レートのエンコード信号から低伝送レートのエンコード信号へ切り換えるときのしきい値と受信状態が良くなった時に低伝送レートのエンコード信号から高伝送レートのエンコード信号へ切り替える時のしきい値とでは値が異なるヒステリシスな特性を持つ所要受信状態情報を含む識別制御情報信号を生成し、
前記分離抽出信号決定手段は前記識別制御情報信号に従って動作することを特徴とする請求項１、請求項２または請求項３記載のテレビ放送用送受信システム。
【請求項５】
前記分離抽出信号決定手段は受信状態検出手段が検出する受信状態が変化しても一定時間以上、望ましくは少なくとも２秒間以上変化した受信状態を維持しなければ分離抽出するエンコード信号を切り替えないことを特徴とする請求項１、請求項２、請求項３または請求項４記載のテレビ放送用送受信システム。
【請求項６】
受信側で正しくデコードするのに必要な受信状態を示す前記所要受信状態情報および受信側での受信状態の検出は受信信号の同期外れ率を用いることを特徴とする請求項１、請求項２、請求項４または請求項５記載のテレビ放送用送受信システム。
【請求項７】
１つのテレビ番組放送信号をエンコードし識別情報を付与したエンコード信号を生成するエンコード手段と、
前記エンコード信号を識別する識別情報に前記エンコード信号を受信するための周波数値情報を付与し、さらにそれぞれの前記識別情報で識別される前記エンコード信号を受信側で正しくデコードするのに必要な受信状態を示す所要受信状態情報を付与し、さらにテレビ番組の識別をするための番組識別情報を付与した識別制御情報信号を生成する識別制御情報生成手段と、
前記エンコード信号と前記識別制御情報信号を多重する多重化手段と、
前記多重化手段で多重した多重信号を少なくとも異なる２種類以上の誤り耐性を持つ信号に変換する少なくとも２つ以上の誤り訂正情報付加手段と、
それぞれの前記誤り訂正情報付加手段で生成した誤り訂正情報付加信号を伝送するチャンネルの周波数に変調する変調手段と、
前記変調手段で変調した変調信号を伝走路へ出力する送信手段と、
を有するテレビ放送用送信装置と、
前記伝送路で伝送された伝送信号を受信する受信手段と、
前記受信手段で受信した受信信号を復調する復調手段と、
前記復調手段で復調した復調信号から受信状態を検出する受信状態検出手段と、
前記復調信号に誤り訂正処理を行う誤り訂正処理手段と、
前記誤り訂正処理手段で誤り訂正処理を行った誤り訂正処理信号から前記識別制御情報信号および前記エンコード信号を分離抽出する分離抽出手段と、
視聴者が選択した番組を識別する番組識別情報信号を発生する番組識別情報信号発生手段と、
前記受信状態検出手段で検出した受信状態検出信号と前記分離抽出手段で分離抽出した前記識別制御情報信号と前記番組識別情報信号発生手段で発生した番組識別情報信号の番組識別情報より前記伝送信号で伝送される異なる誤り耐性の信号のうち正しくデコードできる周波数の信号を決定し前記受信手段に受信周波数を設定する受信周波数決定手段と、
前記受信周波数決定手段で決定した周波数の受信信号を復調処理および誤り訂正処理したエンコード信号を視聴者が選択した番組を識別する番組識別情報信号により前記分離抽出手段で分離抽出した分離抽出エンコード信号を前記テレビ番組放送信号の映像信号と音声信号にデコードするデコード手段と、
前記デコード手段でデコードした前記映像信号と前記音声信号を表示および出力する映像表示音声出力手段と、
を有するテレビ放送用受信装置と、
を備えたテレビ放送用送受信システム。
【請求項８】
前記伝送路は衛星波または地上波を用いることを特徴とする請求項７記載のテレビ放送用送受信システム。
【請求項９】
受信側で正しくデコードするのに必要な受信状態を示す前記所要受信状態情報および受信側での受信状態の検出はＣ／Ｎ値を利用することを特徴とする請求項７または請求項８記載のテレビ放送用送受信システム。
【請求項１０】
前記識別制御情報生成手段は受信状態の変化に対して伝送レートの異なるエンコード信号間の切替えにおいて、受信状態が悪くなった時に高伝送レートのエンコード信号から低伝送レートのエンコード信号へ切り換えるときのしきい値と受信状態が良くなった時に低伝送レートのエンコード信号から高伝送レートのエンコード信号へ切り替える時のしきい値とでは値が異なるヒステリシスな特性を持つ所要受信状態情報を含む識別制御情報信号を生成し、
前記受信周波数決定手段は前記識別制御情報信号に従って動作することを特徴とする請求項７、請求項８または請求項９記載のテレビ放送用送受信システム。
【請求項１１】
前記受信周波数決定手段は受信状態検出手段が検出する受信状態が変化しても少なくとも２秒間以上変化した受信状態を維持しなければ分離抽出するエンコード信号を切り替えないことを特徴とする請求項７、請求項８、請求項９または請求項１０記載のテレビ放送用送受信システム。
【請求項１２】
受信側で正しくデコードするのに必要な受信状態を示す前記所要受信状態情報および受信側での受信状態の検出は受信信号の同期外れ率を用いることを特徴とする請求項７、請求項８、請求項１０または請求項１１記載のテレビ放送用送受信システム。
【発明の詳細な説明】
【０００１】
【発明の属する技術分野】
本発明は衛星波及び地上波で伝送するデジタルテレビ放送の送信装置及び受信装置に関するものであり、例えば西暦２０００年頃の放送開始が計画されているＢＳ−４後発機におけるＨＤＴＶのような高画質放送とＳＤＴＶのような標準画質放送の同時放送を予定しているテレビ放送用送受信装置に関するものである。
【０００２】
【従来の技術】
国内をはじめ米国、欧州と世界中で開始されているデジタルテレビ放送では、デジタル変調方式、誤り訂正方式、デジタル多重化方式、デジタルエンコード方式によりテレビ信号を様々な伝送レートでエンコードでき、また異なるエラー耐性を持つ誤り訂正処理を行うことが可能である。テレビ信号をエンコードする際、高い伝送レートを割り当てることにより多くの情報量を伝送することにより高画質のテレビ信号を伝送することができ、また画質レベルを下げることにより低いレートでの伝送が可能である。
【０００３】
【発明が解決しようとする課題】
しかし、高画質なテレビ放送では高伝送レートの信号により標準放送と比較してより多くの情報を伝送するためテレビ放送を正しくデコードするためには標準放送以上の受信状態を必要とする。降雨減衰や障害物などにより受信状態が劣化する際、アナログ放送では雑音が増加していき徐々に映像が乱れていくがデジタル放送では複数のテレビ信号を圧縮処理して多重しているため、分離抽出、伸長処理するために重要な情報を正しく受信できなければテレビ信号を全く再生できないか、あるいは画像が大きく乱れる。
【０００４】
本発明は、デジタルテレビ放送において受信状態が悪い時でも受信映像の乱れを抑制するために、受信状態が良い時は高画質モードの信号を受信し、受信状態が悪い時は映像の乱れが少ない低画質モードの信号を受信するという受信状態によって最適な信号を受信するテレビ放送用送受信装置を提供することを目的とする。
【０００５】
【課題を解決するための手段】
本発明は、上記課題を解決するため、以下の構成とした。
【０００６】
この目的を達成するために本発明のテレビ放送用送受信システムは、１つのテレビ番組放送信号を異なる伝送レートの信号にエンコードし識別情報を付与したエンコード信号を生成する少なくとも２つ以上のエンコード手段と、異なる伝送レートのそれぞれの前記エンコード信号を識別する識別情報にそれぞれの前記識別情報で識別される前記エンコード信号を受信側で正しくデコードするのに必要な受信状態を示す所要受信状態情報を付与し、さらにテレビ番組の識別をするための番組識別情報を付与した識別制御情報信号を生成する識別制御情報生成手段と、異なる伝送レートの前記エンコード信号と前記識別制御情報信号を多重する多重化手段と、前記多重化手段で多重した多重信号を伝送路へ送信する送信手段と、を有するテレビ放送用送信装置と、
前記伝送路で伝送された信号を受信する受信手段と、前記受信手段で受信した受信信号から受信状態を検出する受信状態検出手段と、前記受信信号から前記識別制御情報信号および前記エンコード信号を分離抽出する分離抽出手段と、視聴者が選択した番組を識別する番組識別情報信号を発生する番組識別情報信号発生手段と、前記受信状態検出手段で検出した受信状態検出信号と前記分離抽出手段で分離抽出した前記識別制御情報信号と前記番組識別情報信号発生手段で発生した番組識別情報信号の番組識別情報より受信信号に多重されている異なる伝送レートでエンコードされた信号の中から正しくデコードできる前記エンコード信号を決定する分離抽出信号決定手段と、前記分離抽出信号決定手段で決定したエンコード信号の前記識別情報により前記分離抽出手段で分離抽出した分離抽出エンコード信号を前記テレビ番組放送信号の映像信号と音声信号にデコードするデコード手段と、前記デコード手段でデコードした前記映像信号と前記音声信号を表示および出力する映像表示音声出力手段と、を有するテレビ放送用受信装置と、
を具備する構成とした。
【０００７】
この構成により、受信状態が良い時は、高伝送レートでエンコードした高画質な放送を視聴でき、受信状態が悪い時は、低伝送レートでエンコードした画質は低いが映像の乱れを抑制した放送を視聴できる。
【０００８】
また、受信状態を検出する手段としてＣ／Ｎ（ＣａｒｒｉｅｒｔｏＮｏｉｓｅＲａｔｉｏ）検出手段を用いる構成とした。
【０００９】
この構成により、受信信号のＣ／Ｎ値が高い時は高伝送レートでエンコードした高画質な放送を視聴でき、受信信号のＣ／Ｎ値が低い時は低伝送レートでエンコードした画質は低いが映像の乱れを抑制した放送を視聴できる。
【００１０】
さらに、識別制御情報生成手段は受信状態の変化に対して伝送レートの異なるエンコード信号間の切替えにおいて、受信状態が悪くなった時に高伝送レートのエンコード信号から低伝送レートのエンコード信号へ切り換えるときのしきい値と受信状態が良くなった時に低伝送レートのエンコード信号から高伝送レートのエンコード信号へ切り替える時のしきい値とでは値が異なるヒステリシスな特性を持つ所要受信状態情報を含む識別制御情報信号を生成し、前記分離抽出信号決定手段は前記識別制御情報信号に従って動作する構成とした。
【００１１】
この構成により、抽出する放送信号を切り替えるしきい値付近に受信状態がある場合、２つのモード間を頻繁に切り換わることを防ぐことができ頻繁な切り換わりによる映像の乱れを抑制することができる。
【００１２】
また、分離抽出信号決定手段は受信状態検出手段が検出する受信状態が変化しても一定時間以上、望ましくは少なくとも２秒間以上変化した受信状態を維持しなければ分離抽出するエンコード信号を切り替えない構成とした。
【００１３】
この構成により、移動する障害物または瞬間的な妨害による受信信号の遮断や受信信号への雑音が発生した場合、抽出する放送信号を切り替えないためモードの切替えによる映像の乱れを抑制することができる。
【００１４】
さらに、受信状態を検出する手段として受信信号の同期外れ率検出手段を用いる構成とした。
【００１５】
この構成により、同期外れ率が低い時は高伝送レートでエンコードした高画質な放送を視聴でき、同期外れ率が高い時は低伝送レートでエンコードした画質は低いが映像の乱れを抑制した放送を視聴できる。
【００１６】
また、１つのテレビ番組放送信号をエンコードし識別情報を付与したエンコード信号を生成するエンコード手段と、前記エンコード信号を識別する識別情報に前記エンコード信号を受信するための周波数値情報を付与し、さらにそれぞれの前記識別情報で識別される前記エンコード信号を受信側で正しくデコードするのに必要な受信状態を示す所要受信状態情報を付与し、さらにテレビ番組の識別をするための番組識別情報を付与した識別制御情報信号を生成する識別制御情報生成手段と、前記エンコード信号と前記識別制御情報信号を多重する多重化手段と、前記多重化手段で多重した多重信号を少なくとも異なる２種類以上の誤り耐性を持つ信号に変換する少なくとも２つ以上の誤り訂正情報付加手段と、それぞれの前記誤り訂正情報付加手段で生成した誤り訂正情報付加信号を伝送するチャンネルの周波数に変調する変調手段と、前記変調手段で変調した変調信号を伝走路へ出力する送信手段と、を有するテレビ放送用送信装置と、
前記伝送路で伝送された伝送信号を受信する受信手段と、前記受信手段で受信した受信信号を復調する復調手段と、前記復調手段で復調した復調信号から受信状態を検出する受信状態検出手段と、前記復調信号に誤り訂正処理を行う誤り訂正処理手段と、前記誤り訂正処理手段で誤り訂正処理を行った誤り訂正処理信号から前記識別制御情報信号および前記エンコード信号を分離抽出する分離抽出手段と、視聴者が選択した番組を識別する番組識別情報信号を発生する番組識別情報信号発生手段と、前記受信状態検出手段で検出した受信状態検出信号と前記分離抽出手段で分離抽出した前記識別制御情報信号と前記番組識別情報信号発生手段で発生した番組識別情報信号の番組識別情報より前記伝送信号で伝送される異なる誤り耐性の信号のうち正しくデコードできる周波数の信号を決定し前記受信手段に受信周波数を設定する受信周波数決定手段と、前記受信周波数決定手段で決定した周波数の受信信号を復調処理および誤り訂正処理したエンコード信号を視聴者が選択した番組を識別する番組識別情報信号により前記分離抽出手段で分離抽出した分離抽出エンコード信号を前記テレビ番組放送信号の映像信号と音声信号にデコードするデコード手段と、前記デコード手段でデコードした前記映像信号と前記音声信号を表示および出力する映像表示音声出力手段と、を有するテレビ放送用受信装置と、
を備えた構成とした。
【００１７】
この構成により、受信状態が良い時は雑音耐性の低いモードでエンコードした高画質な放送を視聴でき、受信状態が悪い時は雑音耐性の高いモードでエンコードした画質は低いが映像の乱れを抑制した放送を視聴できる。
【００１８】
【発明の実施の形態】
以下に、本発明のテレビ放送用送受信装置の実施形態を図面を用いて具体的に説明する。
【００１９】
（実施の形態１）
図１は、本発明の実施の形態１のテレビ放送用送受信装置のブロック図を示す。
【００２０】
最初に、この図１に示すテレビ放送用送受信装置の接続構成を説明する。入力部１０１は、伝送レートの異なる２つのエンコーダ１０２と１０３の入力に接続されている。エンコーダ１０２の出力は、多重化部１０５の第１の入力に接続されている。エンコーダ１０３の出力は、多重化部１０５の第２の入力に接続されている。
【００２１】
識別制御情報生成部１０４の出力は、多重化部１０５の第３の入力に接続されている。多重化部１０５の出力は、送信部１０６の入力に接続されている。送信部１０６の出力は、伝送路１０７に接続されている。伝送路１０７は、受信部１０８の入力に接続されている。受信部１０８の第１の出力は、分離抽出部１１０の第１の入力に接続され、受信部１０８の第２の出力は、Ｃ／Ｎ検出部１０９の入力に接続されている。
【００２２】
Ｃ／Ｎ検出部１０９の出力は、分離抽出信号決定部１１１の第１の入力に接続されている。分離抽出部１１０の第２の入力は、分離抽出信号決定部１１１の第１の出力が接続され、分離抽出部１１０の第１の出力は、分離抽出信号決定部１１１の第２の入力に接続され、分離抽出信号決定部１１１の第３の入力は、番組識別情報発生部１１２の出力が接続されている。分離抽出部１１０の第２の出力は、デコード処理部１１３の入力に接続されている。デコード処理部１１３の出力は、映像表示音声出力部１１４の入力に接続されている。
【００２３】
次に、上記のように構成したテレビ放送用送受信装置の動作について説明する。テレビ番組放送信号は入力部１０１から入力され、エンコーダ１０２とエンコーダ１０３へ入力される。エンコーダ１０２とエンコーダ１０３は入力されたテレビ番組放送信号に対してデジタル圧縮処理であるエンコード処理を行いそれぞれのエンコード信号に受信側で信号を抽出する時に使用する識別情報を付加する。
【００２４】
ここで、エンコーダ１０２とエンコーダ１０３では異なる伝送レートにそれぞれエンコード処理が行われる。例えば、エンコーダ１０２は高画質モードとして高伝送レートにエンコード処理し、エンコーダ１０３は標準画質モードとして低伝送レートにエンコード処理を行う。識別制御情報生成部１０４は、エンコーダ１０２とエンコーダ１０３でエンコードした識別情報付きの信号を受信側で抽出できるように、伝送するエンコード信号の識別情報を生成し、それにエンコーダ１０２でエンコードした高画質モードのエンコード信号が映像の乱れなく正しくデコードできるために必要な受信状態を示す所要Ｃ／Ｎ値情報を付与し、さらに視聴者が選択した番組を識別する番組識別情報を付与した識別制御情報信号を生成する。
【００２５】
多重化部１０５は、識別制御情報生成部１０４で生成した識別制御情報信号をエンコーダ１０２とエンコーダ１０３でエンコードした信号と多重する。多重化した信号は送信部１０６で変調され伝送路へ出力される。受信部１０８は、伝送路１０７で伝送された信号を受信、復調する。Ｃ／Ｎ検出部１０９は、受信部１０８で復調した信号から受信信号のＣ／Ｎ値を検出する。分離抽出部１１０は、受信部１０８が出力した復調信号に多重されている識別制御情報生成部１０４で生成した識別制御情報を抽出する。番組識別情報発生部１１２は、視聴者が選択した番組の番組識別情報信号を発生する。
【００２６】
分離抽出信号決定部１１１は、番組識別情報発生部１１２が発生した視聴者が選択した番組の番組識別情報をもとに分離抽出部１１０で抽出した識別制御情報から異なる伝送レートでエンコードされ、多重されている高画質モードのエンコード信号と標準画質モードのエンコード信号の識別情報と高画質モードのエンコード信号を正しくデコードするために必要な所要Ｃ／Ｎ値情報を取得する。
【００２７】
そして、Ｃ／Ｎ検出部１０９が検出した受信信号のＣ／Ｎ値が、所要Ｃ／Ｎ値以上であれば高画質モードのエンコード信号を抽出するように高画質モードのエンコード信号の識別情報を分離抽出部１１０へ出力し、受信信号のＣ／Ｎ値が、所要Ｃ／Ｎ値より小さければ標準画質モードのエンコード信号を抽出するように標準画質モードのエンコード信号の識別情報を分離抽出部１１０へ出力する。
【００２８】
分離抽出部１１０は、その識別情報信号で識別されるエンコード信号を分離抽出し、デコード処理部１１３へ出力する。デコード処理部１１３は、分離抽出部１１０で抽出されたエンコード信号をデコード処理し、映像表示音声出力部１１４へ出力する。映像表示音声出力部１１４は、デコード処理部１１３でデコードされたテレビ番組放送の映像と音声のデコード信号を表示、出力する。
【００２９】
これを、図を用いて具体的に説明する。テレビ番組放送信号をエンコーダ１０２とエンコーダ１０３で高画質モードと標準画質モードの異なる伝送レートでエンコードしそれぞれのエンコード信号を識別する識別情報を付与する。高画質モードである高伝送レートでエンコードした信号は標準画質モードである低伝送レートでエンコードした信号より情報量が多いため伝走路の伝送信号レートの帯域を占める割合が多い。
【００３０】
例えば、伝送路１０７の伝送信号レートが４０Ｍｂｐｓで高画質モードの伝送レートが２０Ｍｂｐｓ、標準画質モードの伝送レートが５Ｍｂｐｓの場合、伝送路の伝送信号帯域の占有率はトータルで図２に示すようになる。情報の発生頻度が高いと雑音の影響や弱電界による信号電力の減衰による受信状態の劣化による情報誤りの確率も高くなるため情報頻度が高い高伝送レートの信号を伝送する場合には、低伝送レートの信号を伝送する場合に比べて良好な受信状態が必要となる。
【００３１】
従って，高伝送レートの信号を受信側でテレビ番組放送信号の映像を乱れることなく正しくデコードするための所要Ｃ／Ｎ値は，低伝送レートの信号の所要Ｃ／Ｎ値より高い値を必要とする。識別制御情報生成部１０４は、高画質モードのエンコード信号と標準画質モードのエンコード信号の識別情報にそれぞれの所要Ｃ／Ｎ値を付与し、さらにエンコードしたテレビ番組放送を識別する番組識別情報を付与した図３に示すような識別制御情報を各エンコード信号と共に１０５の多重化部で多重する。
【００３２】
受信側では、番組識別情報発生部１１２が発生した番組識別情報をもとに受信部１０８で復調した多重信号から分離抽出部１１０が図３に示すような識別制御情報を抽出する。伝送レートと所要Ｃ／Ｎ値との関係は図４のようになる。検出Ｃ／Ｎ値が所要Ｃ／Ｎ値以上であれば、分離抽出部１１０は識別情報がＳ１である高画質モードのエンコード信号を抽出し、検出Ｃ／Ｎ値が所要Ｃ／Ｎ値より小さければ、分離抽出部１１０は識別情報がＳ２である標準画質モードのエンコード信号を抽出するように分離抽出信号決定部１１１は、分離抽出するエンコード信号の識別情報を決定する。
【００３３】
そして、抽出したエンコード信号をデコード処理部１１３でデコード処理し、映像表示音声出力部１１４でテレビ番組放送の映像と音声を出力する。
【００３４】
このように、実施の形態１によれば、受信状態が良い時は高画質モードの映像を視聴でき、受信状態が悪い時は画質は標準画質モードになるが映像の乱れが少ない映像に切り替えるため受信状態の劣化による映像の乱れを抑制することができる。
【００３５】
（実施の形態２）
図６は、本発明の実施の形態２のテレビ放送用送受信装置における識別制御情報生成部で生成する識別制御情報を示す。
【００３６】
テレビ放送用送受信装置のブロック図は実施の形態１と同様であるので省略する。
【００３７】
実施の形態１と異なる点は、識別制御情報生成部１０４は、エンコーダ１０２とエンコーダ１０３でエンコードした識別情報付きの信号を受信側で抽出できるように、伝送するエンコード信号の識別情報生成し、それにエンコーダ１０２とエンコーダ１０３でエンコードしたそれぞれの信号が映像の乱れなく正しくデコードできるために必要な受信状態を示すそれぞれの所要Ｃ／Ｎ値情報を付与し、さらに視聴者が選択した番組を識別する番組識別情報を付与した識別制御情報信号を生成する。
【００３８】
ここで、各エンコード信号の所要Ｃ／Ｎ値情報は、図６に示すように高画質モードのエンコード信号の抽出から標準画質モードのエンコード信号の抽出に切り換わる所要Ｃ／Ｎ値と標準画質モードのエンコード信号の抽出から高画質モードのエンコード信号の抽出に切り換わる所要Ｃ／Ｎ値とで別々の値を持つ識別制御情報信号である点である。
【００３９】
そして、分離抽出信号決定部１１１は、番組識別情報発生部１１２が発生した視聴者が選択した番組の番組識別情報とＣ／Ｎ検出部１０９が検出した受信信号のＣ／Ｎ値から分離抽出部１１０で分離抽出した識別制御情報の中の所要Ｃ／Ｎ値の条件を満たすエンコード信号の識別情報を決定する。そして、決定した分離抽出するエンコード信号の識別情報信号を分離抽出部１１０へ出力する。その他は、実施の形態１と同様に動作する。
【００４０】
これを、図を用いて具体的に説明する。図５に示すように受信信号のＣ／Ｎ検出値がエンコード信号の所要Ｃ／Ｎ値付近にあり、短時間の間に所要Ｃ／Ｎ値をまたがってふらつく時、高画質モードのエンコード信号の抽出と標準画質モードのエンコード信号の抽出への切り換わりが頻繁に行われかえって映像を乱すことになる。
【００４１】
そこで、図６に示すように高画質モードから標準画質モードへ切り換わる所要Ｃ／Ｎ値と標準画質モードから高画質モードへ切り換わる所要Ｃ／Ｎ値を別々の値にして、分離抽出信号決定部１１１に図７に示すようなヒステリシスな特性を持たせることにより頻繁な切り換わりによる映像の乱れを抑制することができる。
【００４２】
（実施の形態３）
テレビ放送用送受信装置のブロック図は実施の形態１と同様であるので省略する。
【００４３】
実施の形態１および実施の形態２と異なる点は、Ｃ／Ｎ検出部１０９で検出するＣ／Ｎ値の変化により分離抽出する信号を切り換えるのは切り変わる際のＣ／Ｎ値の状態を一定時間維持した場合である点である。
【００４４】
図８に示すように移動物体などによる瞬間的なＣ／Ｎ値の低下が発生した場合、実施の形態１および実施の形態２の構成でも分離抽出するエンコード信号を切り替える。しかし、瞬時にＣ／Ｎ値は元の状態に戻るため、再度切り換わる。従って、こういった場合は切り替えないほうが映像の乱れが少なくてすむ。
【００４５】
（実施の形態４）
図９は、本発明の実施の形態４のテレビ放送用送受信装置のブロック図を示す。
【００４６】
実施の形態１、実施の形態２、実施の形態３と異なる点は、識別制御情報生成部９０４は、エンコーダ１０２とエンコーダ１０３でエンコードした識別情報付きの信号を受信側で抽出できるように、伝送するエンコード信号の識別情報生成し、それにエンコーダ１０２でエンコードした高画質モードのエンコード信号が映像の乱れなく正しくデコードできるために必要な受信状態を示す所要Ｃ／Ｎ値情報の変わりに同期外れ率情報を付与し、さらに視聴者が選択した番組を識別する番組識別情報を付与した識別制御情報信号を生成する点と、受信状態の検出をＣ／Ｎ検出部１０９の変わりに同期外れ検出部９０９とした点である。
【００４７】
同期外れ検出部９０９が検出した受信信号の同期外れ率が、所要同期外れ率以下であれば高画質モードのエンコード信号を抽出するように高画質モードのエンコード信号の識別情報を分離抽出部１１０へ出力し、受信信号の同期外れ率が、所要同期外れ率より大きければ標準画質モードのエンコード信号を抽出するように標準画質モードのエンコード信号の識別情報を分離抽出部１１０へ出力する。その他の部分の動作については、実施の形態１と同様であり同じ番号の符号を付与してある。
【００４８】
識別制御情報生成部９０４は、高画質モードのエンコード信号と標準画質モードのエンコード信号の識別情報に高画質モードのエンコード信号の所要同期外れ率情報を付与し、さらにエンコードしたテレビ番組放送を識別する番組識別情報を付与した図１０に示すような識別制御情報を各エンコード信号と共に１０５の多重化部で多重する。
【００４９】
受信側では、番組識別情報発生部１１２が発生した番組識別情報をもとに受信部１０８で復調した多重信号から分離抽出部１１０が図１０に示すような識別制御情報を抽出する。伝送レート即ち画質モードと同期外れ率との関係は図１１のようになる。検出した同期外れ率が高画質モードのエンコード信号を映像を乱れなくデコードできる所要同期外れ率値以下であれば、分離抽出部１１０は識別情報がＳ１である高画質モードのエンコード信号を抽出し、検出した同期外れ率が所要同期外れ率値より大きければ、分離抽出部１１０は識別情報がＳ２である標準画質モードのエンコード信号を抽出するように分離抽出信号決定部１１１は、分離抽出するエンコード信号の識別情報を決定する。
【００５０】
そして、抽出したエンコード信号をデコード処理部１１３でデコード処理し、映像表示音声出力部１１４でテレビ番組放送の映像と音声を出力する。
【００５１】
このように、実施の形態４によれば、受信状態が良い時は高画質モードの映像を視聴でき、受信状態が悪い時は画質は標準画質モードになるが映像の乱れが少ない映像に切り替えるため受信状態の劣化による映像の乱れを抑制することができるという実施の形態１と同様の効果を得ることができる。
【００５２】
（実施の形態５）
図１２は、本発明の実施の形態５のテレビ放送用送受信装置のブロック図を示す。
【００５３】
最初に、この図１２に示すテレビ放送用送受信装置の接続構成を説明する。入力部１２０１は、エンコーダ１２０２の入力に接続されている。エンコーダ１２０２の出力は、多重化部１２０４の第１の入力に接続されている。識別制御情報生成部１２０３の出力は、多重化部１２０４の第２の入力に接続されている。多重化部１２０４の出力は、誤り訂正部１２０５と誤り訂正部１２０６の入力に接続されている。誤り訂正部１２０５の出力は、変調部１２０７の入力に接続されている。誤り訂正部１２０６の出力は、変調部１２０８の入力に接続されている。
【００５４】
変調部１２０７の出力は、送信部１２０９の第１の入力に接続されている。変調部１２０８の出力は、送信部１２０９の第２の入力に接続されている。送信部１２０９の出力は、伝送路１２１０に接続されている。伝送路１２１０は、受信部１２１１の第１の入力に接続されている。受信部１２１１の出力は、復調部１２１２の入力に接続されている。復調部１２１２の第１の出力は、誤り訂正部１２１３の入力に接続され、復調部１２１２の第２の出力は、Ｃ／Ｎ検出部１２１５の入力に接続されている。
【００５５】
誤り訂正部１２１３の出力は分離抽出部１２１４の第１の入力に接続されている。分離抽出部１２１４の第１の出力は、受信周波数決定部１２１６の第１の入力に接続され、分離抽出部１２１４の第２の出力は、デコード処理部１２１８の入力に接続されている。
【００５６】
Ｃ／Ｎ検出部１２１５の出力は、受信周波数決定部１２１６の第２の入力に接続されている。受信周波数決定部１２１６の第１の出力は、分離抽出部１２１４の第２の入力に接続され、受信周波数決定部１２１６の第２の出力は、受信部１２１１の第２の入力に接続されている。視聴者番組選択部１２１７の出力は、受信周波数決定部１２１６の第３の入力に接続されている。デコード処理部１２１８の出力は、映像表示音声出力部１２１９の入力に接続されている。
【００５７】
次に、上記のように構成したテレビ放送用送受信装置の動作について説明する。テレビ番組放送信号は入力部１２０１から入力され、エンコーダ１２０２へ入力される。エンコーダ１２０２は入力されたテレビ番組放送信号に対してデジタル圧縮処理であるエンコード処理を行いエンコード信号に信号を抽出する時に使用する識別情報を付加する。
【００５８】
エンコーダ１２０２でエンコードしたエンコード信号は、識別制御情報生成部１２０３で生成した識別制御情報と多重化部１２０４で多重化する。多重化部１２０４で多重化した多重信号は、誤り訂正処理部１２０５と誤り訂正処理部１２０６でそれぞれ伝送路に対して異なる誤り耐性を持つ誤り訂正処理を行い，変調部１２０７と変調部１２０８でそれぞれ異なる周波数に変調する。
【００５９】
例えば、誤り訂正処理部１２０５は高画質モードとして誤り耐性の低い誤り訂正処理を施し、誤り訂正処理部１２０６は標準画質モードとして誤り耐性の高い誤り訂正処理を施す。そして、送信部１２０９より伝走路１２１０へ送信する。識別制御情報生成部１２０３は、エンコーダ１２０２でエンコードした識別情報付きの信号を受信側で抽出できるように、伝送するエンコード信号の識別情報とそのエンコード信号を受信する受信周波数情報を生成し、それにエンコード信号を正しくデコードできるために必要な受信状態を示す所要Ｃ／Ｎ値情報を付与し、さらに視聴者が選択した番組を識別する番組識別情報を付与した識別制御情報信号を生成する。受信部１２１１は、伝送路１２１０で伝送された信号を受信する。
【００６０】
復調部１２１２は，受信部１２１１が受信した受信信号を復調する。Ｃ／Ｎ検出部１２１５は、復調部１２１２で復調した信号から復調信号のＣ／Ｎ値を検出する。誤り訂正部１２１３は、復調部１２１２が復調した復調信号に対して誤り訂正処理を行う。分離抽出部１２１４は、誤り訂正部１２１３が誤り訂正処理した誤り訂正処理信号に多重されている識別制御情報生成部１２０３で生成した識別制御情報を抽出する。番組識別情報発生部１２１７は、視聴者が選択した番組の番組識別情報信号を発生する。
【００６１】
受信周波数決定部１２１６は、番組識別情報発生部１２１７が発生した視聴者が選択した番組の番組識別情報をもとに分離抽出部１２１４で抽出した識別制御情報から異なる誤り耐性を持つ誤り訂正処理を施し、異なる周波数に変調にした高画質モードの周波数信号と標準画質モードの周波数信号の受信周波数情報と高画質モードの周波数信号を正しくデコードするために必要な所要Ｃ／Ｎ値情報を取得する。
【００６２】
そして、Ｃ／Ｎ検出部１２１５が検出した受信信号のＣ／Ｎ値が、所要Ｃ／Ｎ値以上であれば高画質モードの周波数信号を受信するように高画質モードの受信信号の周波数情報を受信部１２１１へ出力し、高画質モードのエンコード信号を抽出するように高画質モードのエンコード信号の識別情報を分離抽出部１２１４へ出力する。受信信号のＣ／Ｎ値が、所要Ｃ／Ｎ値より小さければ標準画質モードの周波数信号を受信するように標準画質モードの受信信号の周波数情報を受信部１２１１へ出力し、標準画質モードのエンコード信号を抽出するように標準画質モードのエンコード信号の識別情報を分離抽出部１２１４へ出力する。
【００６３】
受信部１２１１は、その周波数情報で受信する受信信号を受信する。分離抽出部１２１４は、その識別情報信号で識別されるエンコード信号を分離抽出し、デコード処理部１２１８へ出力する。デコード処理部１２１８は、分離抽出部１２１４で抽出されたエンコード信号をデコード処理し、映像表示音声出力部１２１９へ出力する。映像表示音声出力部１２１９は、デコード処理部１２１８でデコードされたテレビ番組放送の映像と音声のデコード信号を表示、出力する。
【００６４】
これを、図を用いて具体的に説明する。テレビ番組放送信号を誤り訂正処理部１２０５と誤り訂正処理部１２０６で高画質モードと標準画質モードの異なる誤り耐性を持つ誤り訂正処理を施し、異なる周波数に変調して伝送する。誤り耐性の高い誤り訂正処理では、誤り訂正処理に使用する情報が多くなるため伝送帯域を占める割合が多くなり、それとあいまって映像情報を伝送する帯域が少なくなってしまう。
【００６５】
従って、高画質な映像を伝送することができない。反対に誤り耐性の低い誤り訂正処理では、誤り訂正処理に使用する情報が少ないため伝送帯域を占める割合が少なくなり、それだけ映像情報を伝送する帯域が多くなるため高画質な映像を伝送することができる。よって、誤り耐性の低い高画質な映像を伝送する場合には、誤り耐性の高い低画質な映像を伝送する場合に比べて良好な受信状態が必要となる。従って，高画質モードの信号を受信側でテレビ番組放送信号の映像を乱れることなく正しくデコードするための所要Ｃ／Ｎ値は，低画質モードの信号の所要Ｃ／Ｎ値より高い値を必要とする。
【００６６】
識別制御情報生成部１２０３は、高画質モードのエンコード信号と標準画質モードのエンコード信号の識別情報と受信周波数情報に高画質モードの所要Ｃ／Ｎ値を付与し、さらにエンコードしたテレビ番組放送を識別する番組識別情報を付与した図１３に示すような識別制御情報をエンコード信号と共に１２０４の多重化部で多重する。受信側では、番組識別情報発生部１２１７が発生した番組識別情報をもとに受信部１２１１で受信し、復調部１２１２で復調し、誤り訂正部１２１３で誤り訂正処理した誤り訂正処理信号から分離抽出部１２１４が図１３に示すような識別制御情報を抽出する。
【００６７】
画質モードと所要Ｃ／Ｎ値との関係は実施の形態１における図４と同様になる。検出Ｃ／Ｎ値が所要Ｃ／Ｎ値以上であれば、分離抽出部１２１４は識別情報がＳ１、受信周波数がＦ１である高画質モードのエンコード信号を受信、抽出し、検出Ｃ／Ｎ値が所要Ｃ／Ｎ値より小さければ、分離抽出部１２１４は識別情報がＳ２、受信周波数がＦ２である標準画質モードのエンコード信号を受信、抽出するように受信周波数決定部１２１６は、受信、分離抽出するエンコード信号の識別情報と受信周波数を決定する。そして、抽出したエンコード信号をデコード処理部１２１８でデコード処理し、映像表示音声出力部１２１９でテレビ番組放送の映像と音声を出力する。
【００６８】
このように、実施の形態５によれば、受信状態が良い時は高画質モードの映像を視聴でき、受信状態が悪い時は画質は標準画質モードになるが映像の乱れが少ない映像に切り替えるため受信状態の劣化による映像の乱れを抑制することができるという実施の形態１、実施の形態４と同様の効果を得ることができる。
【００６９】
（実施の形態６）
図１４は、本発明の実施の形態６のテレビ放送用送受信装置のブロック図を示す。
【００７０】
実施の形態５と異なる点は、識別制御情報生成部１２０３は、エンコーダ１２０２でエンコードした識別情報付きの信号を受信側で抽出できるように、伝送するエンコード信号の識別情報とそのエンコード信号を受信する受信周波数情報を生成し、それにエンコード信号を正しくデコードできるために必要な受信状態を示す所要Ｃ／Ｎ値情報変わりに同期外れ率情報を付与し、さらに視聴者が選択した番組を識別する番組識別情報を付与した識別制御情報信号を生成する点と、受信状態の検出をＣ／Ｎ検出部１２１５の変わりに同期外れ率検出部１４１５とした点である。
【００７１】
同期外れ率検出部１４１５が検出した受信信号の同期外れ率が、所要同期外れ率以下であれば高画質モードのエンコード信号を受信、抽出するように高画質モードのエンコード信号の受信周波数情報を受信部１２１１へ出力し、識別情報を分離抽出部１２１４へ出力する。受信信号の同期外れ率が、所要同期外れ率より大きければ標準画質モードのエンコード信号を受信、抽出するように標準画質モードのエンコード信号の受信周波数情報を受信部１２１１へ出力し、識別情報を分離抽出部１２１４へ出力する。その他の部分の動作については、実施の形態５と同様であり同じ番号の符号を付与してある。
【００７２】
識別制御情報生成部１４０３は、高画質モードのエンコード信号と標準画質モードのエンコード信号の識別情報にそれぞれの受信周波数情報を付与し、高画質モードの所要同期外れ率情報を付与し、さらにエンコードしたテレビ番組放送を識別する番組識別情報を付与した図１５に示すような識別制御情報を各エンコード信号と共に１２０４の多重化部で多重する。
【００７３】
受信側では、番組識別情報発生部１２１７が発生した番組識別情報をもとに分離抽出部１２１４が図１５に示すような識別制御情報を抽出する。画質モードと同期外れ率との関係は実施の形態４における図１１と同様になる。検出した同期外れ率が高画質モードのエンコード信号を映像を乱れなくデコードできる所要同期外れ率値以下であれば、分離抽出部１２１４は識別情報がＳ１である高画質モードのエンコード信号を受信、抽出し、検出した同期外れ率が所要同期外れ率値より大きければ、分離抽出部１２１４は識別情報がＳ２である標準画質モードのエンコード信号を受信、抽出するように分離抽出信号決定部１２１６は、分離抽出するエンコード信号の受信周波数と識別情報を決定する。
【００７４】
そして抽出したエンコード信号をデコード処理部１２１８でデコード処理し、映像表示音声出力部１２１９でテレビ番組放送の映像と音声を出力する。
【００７５】
このように、実施の形態６によれば、受信状態が良い時は高画質モードの映像を視聴でき、受信状態が悪い時は画質は標準画質モードになるが映像の乱れが少ない映像に切り替えるため受信状態の劣化による映像の乱れを抑制することができるという実施の形態１、実施の形態４、実施の形態５と同様の効果を得ることができる。
【図面の簡単な説明】
【図１】本発明の実施の形態１に係るテレビ放送用送受信装置のブロック図
【図２】上記実施の形態に係る伝送信号におけるエンコード信号の占有状態を示す図
【図３】上記実施の形態に係る識別制御情報のイメージ図
【図４】上記実施の形態に係るＣ／Ｎ検出値と画質モードの切替えを表す図
【図５】上記実施の形態に係るＣ／Ｎ検出値と画質モードの切替えを表す図
【図６】本発明の実施の形態２に係る識別制御情報のイメージ図
【図７】上記実施の形態に係るＣ／Ｎ検出値と画質モードの切替えを表す図
【図８】上記実施の形態に係るＣ／Ｎ検出値と画質モードの切替えを表す図
【図９】本発明の実施の形態４に係るテレビ放送用送受信装置のブロック図
【図１０】上記実施の形態に係る識別制御情報のイメージ図
【図１１】上記実施の形態に係る同期外れ率と画質モードの切替えを表す図
【図１２】本発明の実施の形態５に係るテレビ放送用受信装置のブロック図
【図１３】上記実施の形態に係る識別制御情報のイメージ図
【図１４】本発明の実施の形態６に係るテレビ放送用受信装置のブロック図
【図１５】上記実施の形態に係る識別制御情報のイメージ図
【符号の説明】
１０１  入力部
１０２  エンコーダ
１０３  エンコーダ
１０４  識別制御情報生成部
１０５  多重化部
１０６  送信部
１０７  伝送路
１０８  受信部
１０９  Ｃ／Ｎ検出部
１１０  分離抽出部
１１１  分離抽出信号決定部
１１２  番組識別情報発生部
１１３  デコード処理部
１１４  映像表示音声出力部
９０４  識別制御情報生成部
９０９  同期外れ率検出部
１２０１  入力部
１２０２  エンコーダ
１２０３  識別制御情報生成部
１２０４  多重化部
１２０５  誤り訂正部
１２０６  誤り訂正部
１２０７  変調部
１２０８  変調部
１２０９  送信部
１２１０  伝送路
１２１１  受信部
１２１２  復調部
１２１３  誤り訂正部
１２１４  分離抽出部
１２１５  Ｃ／Ｎ検出部
１２１６  受信周波数決定部
１２１７  番組識別情報発生部
１２１８  デコード処理部
１２１９  映像表示音声出力部
１４０３  識別制御情報生成部
１４１５  同期外れ率検出部
【図１】
0004244424.tif 000002
【図２】
0004244424.tif 000003
【図３】
0004244424.tif 000004
【図４】
0004244424.tif 000005
【図５】
0004244424.tif 000006
【図６】
0004244424.tif 000007
【図７】
0004244424.tif 000008
【図８】
0004244424.tif 000009
【図９】
0004244424.tif 000010
【図１０】
0004244424.tif 000011
【図１１】
0004244424.tif 000012
【図１２】
0004244424.tif 000013
【図１３】
0004244424.tif 000014
【図１４】
0004244424.tif 000015
【図１５】
0004244424.tif 000016